(57)【要約】【課題】  腕時計、ブレスレット、ネックレス、指輪、眼鏡などに代表される身体装着部品に対して、洗浄効果に優れ、さらに、身体装着部品に変色を引き起こさない身体装着部品洗浄液、およびこれを用いた洗浄方法を提供すること。【解決手段】エチレングリコール（繰り返し数７）モノアルキル（炭素数が１１から１５）エーテルを２０．０から３０．０ｗｔ％と、ラウリルジメチルアミンオキシド１５．０から２０．０ｗｔ％とを含有する水溶液であることを特徴とする身体装着部品洗浄液を用いることで解決される。好ましくは、エチレングリコール（繰り返し数７）モノアルキル（炭素数が１１から１５）エーテルを２４．０から２６．０ｗｔ％と、ラウリルジメチルアミンオキシド１７．０から１８．０ｗｔ％とを含有する水溶液である身体装着部品洗浄液が提供される。さらに、この洗浄液を用いた洗浄方法も提供される。【選択図】      なし【特許請求の範囲】
【請求項１】
エチレングリコール（繰り返し数７）モノアルキル（炭素数が１１から１５）エーテルを２０．０から３０．０ｗｔ％と、ラウリルジメチルアミンオキシドを１５．０から２０．０ｗｔ％とを含有する水溶液であることを特徴とする時計洗浄原液。
【請求項２】
エチレングリコール（繰り返し数７）モノアルキル（炭素数が１１から１５）エーテルを２４．０から２６．０ｗｔ％と、ラウリルジメチルアミンオキシドを１７．０から１８．０ｗｔ％とを含有する水溶液であることを特徴とする時計洗浄原液。
【請求項３】
請求項１、あるいは請求項２に記載の時計洗浄原液を、水で４０から６０倍に希釈した時計洗浄液。
【請求項４】
請求項１、あるいは請求項２に記載の時計洗浄原液を、水で５０倍に希釈した時計洗浄液。
【請求項５】
請求項３、あるいは請求項４に記載の時計洗浄液中に時計を浸漬遥動して汚れを落とすことを特徴とする時計の洗浄方法。
【請求項６】
請求項１、あるいは請求項２に記載の時計洗浄原液を、水で２．５倍から３．５倍に希釈した超音波洗浄器向け希釈用時計洗浄原液。
【請求項７】
請求項６に記載の超音波洗浄器向け希釈用時計洗浄原液を、水で１００倍から１５０倍に希釈した超音波洗浄器向け時計洗浄液。
【請求項８】
請求項７に記載の超音波洗浄器向け時計洗浄液中に時計を浸漬して、超音波洗浄で汚れを落とすことを特徴とする時計の洗浄方法。
【請求項９】
エチレングリコール（繰り返し数７）モノアルキル（炭素数が１１から１５）エーテルを２０．０から３０．０ｗｔ％と、ラウリルジメチルアミンオキシドを１５．０から２０．０ｗｔ％とを含有する水溶液であることを特徴とする身体装着部品洗浄原液。
【請求項１０】
エチレングリコール（繰り返し数７）モノアルキル（炭素数が１１から１５）エーテルを２４．０から２６．０ｗｔ％と、ラウリルジメチルアミンオキシドを１７．０から１８．０ｗｔ％とを含有する水溶液であることを特徴とする身体装着部品洗浄原液。
【請求項１１】
請求項９、あるいは請求項１０に記載の身体装着部品洗浄原液を、水で４０から６０倍に希釈した身体装着部品洗浄液。
【請求項１２】
請求項９、あるいは請求項１０に記載の身体装着部品洗浄原液を、水で５０倍に希釈した身体装着部品洗浄液。
【請求項１３】
請求項１１、あるいは請求項１２に記載の身体装着部品洗浄液中に身体装着部品を浸漬遥動して汚れを落とすことを特徴とする身体装着部品の洗浄方法。
【請求項１４】
請求項９、あるいは請求項１０に記載の身体装着部品洗浄原液を、水で２．５倍から３．５倍に希釈した超音波洗浄器向け希釈用身体装着部品洗浄原液。
【請求項１５】
請求項１４に記載の超音波洗浄器向け希釈用身体装着部品洗浄原液を、水で１００倍から１５０倍に希釈した超音波洗浄器向け身体装着部品洗浄液。
【請求項１６】
請求項１５に記載の超音波洗浄器向け身体装着部品洗浄液中に身体装着部品を浸漬して、超音波洗浄で汚れを落とすことを特徴とする身体装着部品の洗浄方法。
【請求項１７】
請求項９、あるいは１０に記載された身体装着部品洗浄原液であって、
身体装着部品が、腕時計、ブレスレット、指輪、ネックレス、眼鏡のうちのいずれか１つである身体装着部品洗浄原液。
【請求項１８】
請求項１１、あるいは１２に記載された身体装着部品洗浄液であって、
身体装着部品が、腕時計、ブレスレット、指輪、ネックレス、眼鏡のうちのいずれか１つである身体装着部品洗浄液。
【発明の詳細な説明】
【技術分野】
【０００１】
本発明は、身体装着部品の洗浄液に関し、特に腕時計や眼鏡をクリーニングする為の洗浄液に関する。
【背景技術】
【０００２】
たとえば装身具や眼鏡などのように身体に装着される身体装着部品、特に、腕時計、ブレスレット、指輪、ネックレス、眼鏡などのように、身体に密着して装着される身体装着部品は、広く知られている。
このような身体装着部品のうち、まず腕時計を例に挙げれば、腕時計は、機能から次の２つの部分からなっている。１つは、ムーブメントを収容し、このムーブメントによって時刻を表示する時刻表示部を備えるケースと呼ばれる部分と、もう１つは、これを腕に装着する為のバンドの部分からなる。
【０００３】
腕時計のバンドには、天然皮革や合成皮革などから成る皮製のバンド、織布や不織布などから成る布製のバンド、合成樹脂やゴム製のバンド、あるいは金属製のバンドがある。金属製のバンドを使用している時計は、金属という素材が長期にわたって変質しにくいといった性質から、長年にわたって使用することが期待され得る。
【０００４】
時計製造会社では、長年使用に耐えるために、腕にはめやすい構造、ファッション性に優れる構造、腐食されにくい構造、衣装性に優れた構造などに気配りをしながら数々の時計を市場に送り出している。
【０００５】
また、時計自身の機能としても、長年にわたって動作するように時計の動作に要する電力を抑えて長寿命化したり、発電素子と２次電池を搭載するなどして長寿命化をはかってきた。
【０００６】
しかし、この一方で時計が長年にわたって機能することによって、時計を時計店に持ち込んでメンテナンスを行うチャンスが激減し、結果として時計が適正なメンテナンスをされないまま長期にわたって使用されるといった現象が発生している。
【０００７】
メンテナンスを行わないまま使用される条件で問題となるのは、特にバンドの汚れの問題が大きい。
バンドの汚れとして問題となる部位としては、まず、複数の金属製駒を順次連結させた金属製の駒連結バンドにおける駒と駒との隙間が挙げられる。これらの隙間に汚れがたまると外観の品質が著しく低下したり、場合によっては腕に合わせて湾曲具合を調整しにくくなり手へのフィット感を低下することもある。
【０００８】
また、このような汚れがバンドに付着することにより場合によってはバンドの腐食や、腕（皮膚）へのアタックも考えられ、これらの場合も腕時計を使用する上で問題となっている。
【０００９】
バンドの汚れとして問題となる部位としては、次に、腕時計を手首に対して脱着させる為に設けた機構部分としての中留がある。近年、これら中留として、プッシュボタン機構を備えるものが多用される。このプッシュボタン機構は、中留に摺動可能に配置されたプッシュボタンを含む。このプッシュボタンが指で押圧されることにより、中留が施錠される、あるいは解錠される。
【００１０】
このプッシュボタン機構に汚れがたまると、プッシュボタンを動かしにくくなったり、場合によっては力いっぱいプッシュボタンを動かそうとしても動作させることができなくなったりする。この結果として、手首から外すことができない、手錠のような時計となってしまい顧客からクレームを受けることになり大きな問題である。
【００１１】
これを解決する為には、腕時計のバンドを定期的に汚れが蓄積しないように洗浄することで可能となると予想される。この為本出願人は、腕時計のバンドの洗浄に適した洗浄液を鋭意検討し、数々の洗浄剤、たとえば洗浄液（液状洗浄剤）、固形状洗浄剤、あるいは粉末状洗浄剤などを使用して、これに適した材料を抽出し、結果として本発明をするに至った。
【００１２】
腕時計は世界中で使用されることから、どこでも手に入ることも重要である。本出願人はまず一般的な洗浄剤で検討を試みた。一般的な洗浄剤として石鹸が挙げられるが、これを用いて時計を洗浄すると、バンドの凹凸の間、たとえば駒と駒との間の隙間に石鹸が詰まってしまう。よって、石鹸は、腕時計バンド用の洗浄剤としては、使用には耐えない。
【００１３】
この他の洗浄剤も検討したが香料の様な不用な物質が入っているものや、中にはリンス成分を残そうとするもの、あるいはチタン製の金属バンドを変色させるものもあり、目的には合わない。
【００１４】
このような洗浄剤の例としては、例えば特許文献１に台所用の洗浄剤として開示されているものがある。この文献によれば、特定の構造のアルキレングリコールモノアルキルエーテルと、アミンオキシドか糖エステル系界面活性剤か脂肪酸のアルカノールアミドの少なくとも１種を、重量比で１／２〜１０／１の範囲で混合される。
【特許文献１】特開平３−１８８１９５号公報（５頁〜８頁、図１）
【発明の開示】
【発明が解決しようとする課題】
【００１５】
前記の洗浄剤を構成する成分は、この洗浄剤を含ませたスポンジなどを用いて、食器などの汚れた部位をこすって汚れを落とし、さらに食器に付着した洗浄剤を水で流し落とすことを前提に評価され、かつ選定されている。
これに対して、腕時計用バンドの汚れで問題となる部分は、洗浄が困難な内側部分である。すなわち、部品と部品のほんのわずかな隙間の部分、たとえば駒連結バンドにおける駒と駒との隙間や、こすることができない部分、たとえば腕時計を脱着するための中留におけるプッシュボタン機構廻りのような内側部分などである。このような部位の汚れを、いかに効率よく落とすことができるかが、腕時計用の洗浄剤における機能のポイントとなる。
【００１６】
あわせて前記の洗浄剤は、洗浄する行為は一連の動作の中で、洗浄してから、洗浄剤を洗い流すといった動作が行われることを前提に、洗浄剤の材料（構成成分）が選定されている。
これに対してバンドの洗浄の場合には、内側部分が洗浄困難な細かい場所であること、しかもプッシュボタン機構廻りのような内側部分は汚れの落ち方が一般ユーザ−では確認できないこともあるので、洗浄剤内に腕時計がつけ置きされてしまうことも考えられる。この場合、チタン製のバンドのように変色しやすい素材に対してアタックしてバンドを変色させないような材料を、洗浄剤に選定する必要がある。
洗浄方法としては、腕時計を使用している多くのユーザーを対象として考慮する場合には、超音波洗浄器を用いることを前提に考えることは難しい。洗浄液内における簡単な時計の遥動だけで、時計の汚れが落ちるようなものが良い。
また、洗浄時にはバンドの他、ケースに使用されている部品など、腕時計のさまざまな
部分に洗浄剤が付着して残存する可能性がある。このため洗浄液は、安定な水系であって、ｐHもほぼ中性であることが必要である。
【００１７】
また、腕時計用バンドの汚れは、食器の汚れとは異なり、普段の室外での生活によるほこりやごみ、身体の皮脂、あるいは海や山で付着する砂埃などの多種の異物が主な成分となるため、洗い方のほか汚れの成分的にも選定の基準も大幅に異なることになる。
【００１８】
このように、本発明は、従来の課題に鑑み、腕時計、例えば金属製バンドや中留の汚れに対して洗浄効果に優れ、洗浄液内における簡単な腕時計の遥動作業だけで、これら腕時計の汚れを落とすことができ、更に、腕時計の変色を引き起こさない腕時計用洗浄液およびこれを用いた洗浄方法を提供することを目的として成された。
【００１９】
しかしながら、本出願人は、本発明の洗浄液、および洗浄方法が、腕時計と同じような素材から成り、かつ腕時計と同じような使用条件で身体に装着される、ブレスレット、指輪、ネックレス、眼鏡など、他の身体装着部品の汚れを落とすのにも、同じく有効であることを見出した。これは、ブレスレット、指輪、ネックレス、眼鏡などに付着する汚れが、腕時計の汚れと同様に、身体の皮脂、ほこりやごみ、あるいは砂埃などの混合物であるからと考えられる。
よって、本発明は、洗浄液内における身体装着部品の遥動作業だけで、これら身体装着部品の汚れを落とすことができ、更に、身体装着部品の変色を引き起こさない身体装着部品用洗浄液およびこれを用いた洗浄方法をも提供する。
【００２０】
また、本出願人は、本発明の洗浄液を採用すれば、超音波洗浄器を用いても、腕時計を含む身体装着部品の汚れが効率良く落とすことができ得ることを見出した。
よって、本発明は、超音波洗浄器を所有するなどして使用することが出来る立場のユーザーに対しても、超音波洗浄器を使用して、従来の課題に鑑み、身体装着部品、特に時計用の汚れ（例えば金属製バンドの汚れ）に対して洗浄効果に優れ、更に、身体装着部品、特に時計の変色を引き起こさない身体装着部品用洗浄液およびこれを用いた洗浄方法を提供する。
【００２１】
また、本発明は、時計とほぼ同じ部材に属するネックレス、ブレスレット、指輪、眼鏡等の身体装着型部材にも適用が可能な洗浄液およびこれを用いた洗浄方法を提供することにある。
【課題を解決するための手段】
【００２２】
上記した課題は、「エチレングリコール（繰り返し数７）モノアルキル（炭素数が１１から１５）エーテルを２０．０から３０．０ｗｔ％と、ラウリルジメチルアミンオキシド１５．０から２０．０ｗｔ％とを含有する水溶液であることを特徴とする時計洗浄原液」を用いることで解決される。さらに好ましくは「エチレングリコール（繰り返し数７）モノアルキル（炭素数が１１から１５）エーテルを２４．０から２６．０ｗｔ％と、ラウリルジメチルアミンオキシド１７．０から１８．０ｗｔ％とを含有する水溶液であることを特徴とする時計洗浄原液」を用いことで解決される。
さらに具体的には、これらの原液を水で４０から６０倍、好ましくは５０倍に希釈した時計洗浄液中に時計を浸漬遥動して汚れを落とすことを特徴とする時計の洗浄方法を採用することで解決される。
【００２３】
また、時計に限らず身体装着部品の汚れは、「エチレングリコール（繰り返し数７）モノアルキル（炭素数が１１から１５）エーテルを２０．０から３０．０ｗｔ％と、ラウリルジメチルアミンオキシド１５．０から２０．０ｗｔ％とを含有する水溶液であることを特徴とする身体装着部品洗浄原液」を用いることで解決される。さらに好ましくは「エチ
レングリコール（繰り返し数７）モノアルキル（炭素数が１１から１５）エーテルを２４．０から２６．０ｗｔ％と、ラウリルジメチルアミンオキシド１７．０から１８．０ｗｔ％とを含有する水溶液であることを特徴とする身体装着部品洗浄原液」を用いことで解決される。
さらに具体的には、これらの原液を水で４０から６０倍、好ましくは５０倍に希釈した身体装着部品洗浄液中に身体装着部品を浸漬遥動して汚れを落とすことを特徴とする身体装着部品の洗浄方法を採用することで解決される。
【００２４】
さらに、身体装着部品、特に時計の汚れは、超音波洗浄器を用いる場合、「上記の身体装着部品洗浄原液を、水で２．５倍から３．５倍に希釈した超音波洗浄器向け希釈用身体装着部品洗浄原液」を用いることで解決される。
具体的には、この原液を水で１００倍から１５０倍に希釈した超音波洗浄器向け身体装着部品洗浄液中に、身体装着部品を浸漬して、超音波洗浄で汚れを落とすことを特徴とする身体装着部品の洗浄方法を採用することで解決される。
【発明の効果】
【００２５】
本発明の時計用洗浄液を用いて時計を洗浄することにより時計バンドの洗浄を超音波等の道具を用いることなしに遥動だけでチタン等の素材を変色させることなしに洗浄できるようになったので、エンドユーザーでも時計の洗浄ができるようになった。また、長期に時計を使用しても時計の外観品質が低下しないで長年使用できるようになり、時計バンドの汚れによる脱着機構、たとえば中留のプッシュボタン機構の作動不良を無くし、プッシュボタン機構の作動を良好に保つことができるようになった。
また、本発明の超音波洗浄器向け時計用洗希釈用洗浄原液および超音波洗浄器向け時計用洗浄液を用いて洗浄することで超音波洗浄器を使用することが可能なユーザーに対しても最適な洗浄を提供する事ができた。
また、時計とほぼ同じ部材に属するネックレス、ブレスレット、指輪、眼鏡等の身体装着部品にも適用が可能な洗浄液およびこれを用いた洗浄方法を提供することができた。
すなわち、本発明の身体装着部品用洗浄液を用いて、身体装着部品を洗浄することにより、洗浄液内における身体装着部品の遥動作業だけで、これら身体装着部品の汚れを落とすことができ、更に、身体装着部品の変色させることなしに身体装着部品を洗浄できた。
さらに、本発明の超音波洗浄器向け希釈用身体装着部品洗浄原液および超音波洗浄器向け身体装着部品洗浄液を用いて洗浄することで超音波洗浄器を使用することが可能なユーザーに対しても、身体装着部品の最適な洗浄を提供する事ができた。
【発明を実施するための最良の形態】
【００２６】
本発明の時計用洗浄剤は、エチレングリコール（繰り返し数７）モノアルキル（炭素数が１１から１５）エーテルを２０．０から３０．０ｗｔ％と、ラウリルジメチルアミンオキシド１５．０から２０．０ｗｔ％とを含有する水溶液を時計洗浄液として使用することで解決できることを本出願人は鋭意検討した結果見いだした。
特に、エチレングリコール（繰り返し数７）モノアルキル（炭素数が１１から１５）エーテルを２４．０から２６．０ｗｔ％と、ラウリルジメチルアミンオキシド１７．０から１８．０ｗｔ％とを含有する水溶液を時計洗浄液として用いると、最大の効果を示す。
洗浄方法としては、時計を使用している一般ユーザーを対象として考慮する場合には、超音波洗浄器を用いることを前提に考えることは難しい。簡単な遥動だけで汚れが落ちるような洗浄液が良い。
また、時計に用いられる材料としては、ステンレスや軽量なチタンがある。洗浄時にはバンドの他、ケースに使用されている部品など、さまざまな部分に洗浄剤が付着しようとも、この洗浄液は安定な水系であって、ｐHもほぼ中性であるため、チタン等の素材を変色させることがないばかりか、エンドユーザーの健康に害を与えない。
ハンドリング（洗浄液の用いられ方）としては、時計の洗浄は日々の食器洗浄とは異な
り、汚れた時に落とせばよいわけなので、１回分を小さく供給できて使用する洗浄液にできるほうが良い。時計のサイズと合わせると５ｍｌ程度の体積の洗浄剤を約２００ｍｌから２５０ｍｌのコップ一杯の水またはぬるま湯に溶かして使用することが好ましい。
希釈した洗浄液の中で時計を遥動させることで洗浄した後は、水洗して軽く水をふき取り乾燥させる。洗浄時はあわ立ちや、ぬめりのあるなしではなく、むしろ汚れが落ちれば機能を満たす。
以下実施例を基に更に詳しく本発明の時計洗浄液およびこれを用いた洗浄方法をバンドでの使用例を基に説明する。
【実施例１】
【００２７】
エチレングリコール（繰り返し数７）モノアルキル（炭素数が１１から１５）エーテルを２０、２２、２４、２５、２６、２８、３０ｗｔ％と、ラウリルジメチルアミンオキシド１５、１６、１７、１７．５、１８、１９、２０．０ｗｔ％とを含有する水溶液からなる、４９種類の洗浄原液を作成した。
この洗浄原液を５ｇづつ取り分けて２５０ｍｌの水に溶解させた、４９種類の洗浄液を作成し、この洗浄液を用いて汚れた腕時計、すなわち金属製バンドの駒と駒との隙間に汚れがたまり、かつ中留のプッシュボタンが汚れにより滑動しない腕時計を洗浄した。そして、腕時計の汚れの落ち具合を×、○、◎で評価した。
ただし、×、○、◎の判定基準は、以下の通りである。
×：目視で多くの汚れが視認される。あるいは中留のプッシュボタンが滑動しない。
○：目視でわずかな汚れが視認される。かつ中留のプッシュボタンが滑動する。
◎：目視で汚れが視認されない。かつ中留のプッシュボタンが円滑に滑動する。
この結果が、表１に示される。
この結果、いずれの場合も、駒と駒との隙間の汚れは落ち、かつ腕時計の脱着の操作、たとえば中留のプッシュボタン機構の作動ができるようになった。特にこの範囲で目だって洗浄力が高く汚れが落ちたのはエチレングリコール（繰り返し数７）モノアルキル（炭素数が１１から１５）エーテルを２４．０から２６．０ｗｔ％でかつ、ラウリルジメチルアミンオキシド１７．０から１８．０ｗｔ％の時であった。
（比較例１）
【００２８】
エチレングリコール（繰り返し数７）モノアルキル（炭素数が１１から１５）エーテルを０、１０、１８、３５、４０ｗｔ％と、ラウリルジメチルアミンオキシド１０、２５ｗｔ％とを含有する水溶液からなる洗浄原液を作成した。
エチレングリコール（繰り返し数７）モノアルキル（炭素数が１１から１５）エーテルを３５、４０ｗｔ％に、ラウリルジメチルアミンオキシド２５ｗｔ％を加えたものは粘度が上昇し混和が難しかったが他のものは洗浄液ができた。
この洗浄液を５ｇづつ取り分けて２５０ｍｌの水に溶解させ、実施例１と同様に、この液を用いて汚れた腕時計を洗浄した。そして、同じく腕時計の汚れの落ち具合を×、○、◎で評価した。
この結果が、表２に示される。表中、「混和  難」とは、上述のように、粘度が上昇し混和が難しかったことを示す。
この結果、いずれの場合も駒と駒との隙間の汚れ落ちが不十分で、使用には耐えなかった。
【実施例２】
【００２９】
次いで、表１における４９種類の洗浄液を、それぞれ水で３０倍、４０倍、５０倍、６０倍、７０倍に希釈した洗浄液を作成した。そして、実施例１と同様に、この洗浄液を用いて汚れた腕時計を洗浄した。そして、腕時計の汚れの落ち具合を×、○、◎で評価した。ただし、×、○、◎の判定基準は、以下の通りであり、実施例１と異なり、中留のプッシュボタンの作動については評価していない。
×：目視で多くの汚れが視認される。
○：目視でわずかな汚れが視認される。
◎：目視で汚れが視認されない。
さらに、洗浄後の腕時計を水洗し、時計に付着した洗浄液の落ち具合を、×、○、◎で評価した。ただし、×、○、◎の判定基準は、以下の通りである。
×：目視で多くの洗浄液の残りが視認される。
○：目視でわずかな洗浄液の残りが視認される。
◎：目視で洗浄液の残りが視認されない。
この結果が、表３に示される。表３に見るように、４９種類の洗浄液がほぼ同様の結果を示した。
表３に見るように、これら洗浄原液は、水で７０倍以上に希釈されると、目的の洗浄効果を奏さなくなった。また、これら洗浄原液は、水による３０倍以下の希釈では、洗浄後に水洗されても、腕時計に残存しやすくなった。
結果として、汚れの落ち具合と洗浄液の落ち具合とを満足させるに足る、実用に適する希釈は、４０から６０倍であった。５０倍に希釈された洗浄液は、汚れの落ち具合と洗浄液の落ち具合とに、最も良い効果を奏した。
【実施例３】
【００３０】
実施例１で作成した２５０ｍｌに希釈した洗浄液にチタン製腕時計バンドを浸漬して室温２５℃で３時間放置して、色の変化がないかを見たところ変化もなく良好であった。
【実施例４】
【００３１】
以上実施例に示したように、超音波を使用すること無しに洗浄を完了することもできるが、超音波洗浄器を所有するエンドユーザーも中にはいる。超音波洗浄器を用いた場合に、本発明の時計用洗浄原液をそのまま使用しようとすると、水で満たした超音波洗浄器の洗浄槽中に時計用洗浄原液を加えた後、超音波をかけてもなかなか溶解しないという課題があった。時計洗浄原液が水に溶解せずに水中に残留すれば、洗浄液の濃度が一定の濃度に達しないために洗浄力がおちるばかりか、原液が水洗の水流や手のとどかない奥の部位にそのまま残ると、腕時計がぬれるたびに洗剤が流れ出してしまうことになる。
【００３２】
そこで、本出願人は、超音波洗浄器を用いた場合は、洗浄槽内の水への溶解性も、洗浄のための重要な要素であると認識し、シチズンシステムズ製超音波洗浄器SW5800を用いて、洗浄原液の水への溶解性を評価した。SW5800の洗浄槽の容積は７５０ｍｌであり、洗浄槽の内壁に、この槽に入れる水の上限を示す基準線が配置される。洗浄槽内に入れた水の水面が基準線に達すると、この槽内の水の容積は６００ｍｌとなる。
評価の方法は、超音波洗浄器の洗浄槽に６００ｍｌの水をはり、ここへ、エチレングリコール（繰り返し数７）モノアルキル（炭素数が１１から１５）エーテルを２０．０から３０．０ｗｔ％と、ラウリルジメチルアミンオキシド１５．０から２０．０ｗｔ％とを含有する水溶液である第１の時計洗浄原液を水で希釈した第１の評価用洗浄原液５ｍｌを滴下して、超音波をかけて３０秒以内に簡単に溶解できるか、否かで判定した。
同様に、この洗浄槽内の水６００ｍｌに、エチレングリコール（繰り返し数７）モノアルキル（炭素数が１１から１５）エーテルを２４．０から２６．０ｗｔ％と、ラウリルジメチルアミンオキシド１７．０から１８．０ｗｔ％とを含有する水溶液である第２の時計洗浄原液を水で希釈した第２の評価用洗浄原液５ｍｌを滴下して、同じく超音波をかけて３０秒以内に簡単に溶解できるか、否かで判定した。
この結果、第１の時計洗浄原液を水で２．０倍以下に希釈した第１の評価用洗浄原液、および第２の時計洗浄原液を水で２．０倍以下に希釈した第２の評価用洗浄原液双方は、超音波をかけて洗浄槽内の水に溶解するのに、３０秒を超える場合があった。
第１の時計洗浄原液を水で２．５倍以上希釈した第１の評価用洗浄原液、および第２の時計洗浄原液を水で２．５倍以上希釈した第２の評価用洗浄原液双方は、超音波をかけて
３０秒以内に洗浄槽内の水に溶解した。
よって、第１、および第２の時計洗浄原液それぞれを水で２．５倍以上希釈すれば、超音波をかけて３０秒以内に洗浄槽内の水に溶解し、使用に耐えることが判った。
【００３３】
このようにして、市販されている超音波洗浄器の中で、身体装着部品の洗浄に適した洗浄器を選んで、同様の実験を繰り返したところ、第１、および第２の時計洗浄原液それぞれを水で２．５倍から３．５倍の範囲内で希釈すれば、超音波をかけて３０秒以内に洗浄槽内の水に溶解し、使用に耐えることが判った。
この超音波洗浄器に使用されるために希釈した溶液を、超音波洗浄器向け希釈用時計洗浄原液とする。
第１、および第２の時計洗浄原液それぞれを水で３．５倍以上に薄めると、水が多くなるため、期待される洗浄効果が得られにくくなるばかりか、水が多くなって嵩張るため、超音波洗浄器向け希釈用時計洗浄原液を極めて大きな容器に入れなければならなくなるなど、洗浄原液の取り扱いが不便になる。特に、超音波洗浄器向け希釈用時計洗浄原液を身体装着部品に付属させて販売する場合などは、超音波洗浄器向け希釈用時計洗浄原液は、少なくとも身体装着部品と同じ大きさ、好ましくは身体装着部品より小さいパッケージであることが望まれる。さらに、洗浄の都度、ユーザーが洗浄液の濃度調整をする必要が無いように、１回の洗浄で１個のパッケージが使われるように、超音波洗浄器向け希釈用時計洗浄原液を小さなパッケージに入れ、このパッケージを複数個、身体装着部品に付属させることが望まれる。
この観点からも、超音波洗浄器向け希釈用時計洗浄原液は、時計洗浄原液を水で２．５倍から３．５倍の範囲内で希釈したものであることが好ましい。
【実施例５】
【００３４】
次いで、超音波洗浄器の洗浄槽内の水に、超音波洗浄器向け希釈用時計洗浄原液を添加して作成される洗浄液の濃度について詳しく確認した。超音波洗浄器を用いて時計バンドを洗浄した場合は、汚れが落ちやすくなるので超音波洗浄器を使用しない場合よりも洗浄液を薄くすることができる。かつ、洗浄槽内の洗浄液の濃度は、洗浄槽内に予め入れられた水の量によって変わるため、良好な洗浄効果を維持できる洗浄液の濃度を確認した。
ここで、超音波洗浄器の洗浄槽内の水に、上記の超音波洗浄器向け希釈用時計洗浄原液を入れて、洗浄槽内に作られる洗浄液を、超音波洗浄器向け時計洗浄液とする。
超音波洗浄器向け時計洗浄液の濃度としては、水で３．５倍に希釈した超音波洗浄器向け希釈用時計洗浄原液を用いて評価したところ、バンドの汚れが良好に落ちる範囲は、１００倍から徐々に薄くしていったところ、１５０倍までであった。これ以上に薄くすると（例えば２００倍）にすると汚れが落ちないことがある。
【００３５】
一方、濃度が高い方についても、適正な濃度を評価した。評価には水で２．５倍に希釈した超音波洗浄器向け希釈用時計洗浄原液を用いた。５０倍から１５０倍までの範囲で評価したところ、１００倍以内の倍率であると洗浄力が十分に得られ、差は無いことがわかった。
この結果から、超音波洗浄器を用いて時計を洗浄する場合は、超音波洗浄器向け時計洗浄液は、超音波洗浄器向け洗希釈用時計洗浄原液を１００倍から１５０倍の範囲で希釈した溶液が好ましいことが判った。
すなわち、超音波洗浄器向け時計洗浄液は、時計洗浄原液を２５０倍から５２５倍の範囲内において水で希釈したものである。
使用される超音波洗浄器の洗浄槽に入れられる水の容積を考慮して、超音波洗浄器向け時計洗浄液が時計洗浄原液を２５０倍から５２５倍の範囲内において水で希釈したものとなるように、超音波洗浄器向け希釈用時計洗浄原液の濃度と量を調節してパッケージすることが好ましい。
【実施例６】
【００３６】
ところで、時計は身体に装着する部材であるが、このような使用条件で、時計と同じような素材でできているものにネックレス、ブレスレット、指輪、眼鏡等の身体装着部品がある。このような部材は使用環境が比較的似ている事から汚れも似ていると考えられる。これまで説明してきた本発明が、身体装着部品全般に使用できれば、腕時計と同時にネックレス、ブレスレット、指輪、眼鏡等を洗浄できるので大変便利である。
【００３７】
本出願人は、これまで実施例を基に説明してきた時計洗浄原液、時計洗浄液、および、超音波洗浄器向け希釈用時計洗浄原液および超音波洗浄器向け時計洗浄液を、時計とほぼ同じ部材に属するネックレス、ブレスレット、指輪、眼鏡等の身体装着部品に適用し洗浄を行ったところ、上記の腕時計に係わる実施例と同様の結果を得た。
すなわち、実施例の適正な本発明の範囲において、身体装着部品に汚れを落とすことができた。
これにより、時計洗浄原液は身体装着部品洗浄原液として、時計洗浄液は身体装着部品洗浄液として、腕時計に限らず身体装着部品全般の洗浄に広く利用され得る。
同様に、超音波洗浄器が洗浄に用いられる場合は、超音波洗浄器向け希釈用時計洗浄原液は超音波洗浄器向け希釈用身体装着部品洗浄原液として、超音波洗浄器向け時計洗浄液は超音波洗浄器向け身体装着部品洗浄液として、腕時計に限らず身体装着部品全般の洗浄に広く利用され得る。
【産業上の利用可能性】
【００３８】
本発明の時計用洗浄液を使用することによって時計の洗浄に使用できることが確認できたが、本出願人は眼鏡や宝飾も取り扱う製造会社であったので、これらの洗浄に用いたところ、良好な洗浄力を示した。これは、時計と同様に汚れの質が同じような種類のものから構成されていた為と考えられる。
このようなことから、肌に身につける宝飾品などの身体装着型の部材一般に使用することが可能である。
さらに、本発明の洗浄原液、および洗浄液は、同様の汚れが付着する様々な部材一般の洗浄に、広く利用され得る。
【表１】
2008050560.tif 000002
【表２】
2008050560.tif 000003
【表３】
2008050560.tif 000004